(57)【要約】【課題】リモコンなどの機器を、荷重に起因するひずみを与えることなく棚に取り付けたトイレ用カウンターを提供する。【解決手段】第１の方向に延在した棚板と、前記第１の方向に対して略直交する第２の方向に沿った１条の支持部において前記棚板に固定される機器と、を備えたことを特徴とするトイレ用カウンターが提供される。または、第１の方向に延在した棚板と、前記第１の方向に対して略直交する第２の方向に沿った２条の支持部において前記棚板に蝶支される機器と、を備えたことを特徴とするトイレ用カウンターが提供される。第１の方向に延在した棚板と、前記棚板の下に設けられた一対のブラケットと、前記一対のブラケットの下面に固体された機器と、を備えたことを特徴とするトイレ用カウンターが提供される。【選択図】図１
2008245807.tif 000002
【特許請求の範囲】
【請求項１】
第１の方向に延在した棚板と、
前記第１の方向に対して略直交する第２の方向に沿った１条の支持部において前記棚板に固定される機器と、
を備えたことを特徴とするトイレ用カウンター。
【請求項２】
前記機器は、前記支持部の両側のうちの少なくともいずれかに設けられ前記棚板に当接する凸部を有することを特徴とする請求項１記載のトイレ用カウンター。
【請求項３】
前記支持部は、レールと、前記レールに嵌合挿入可能なガイドと、を有することを特徴とする請求項１または２に記載のトイレ用カウンター。
【請求項４】
前記１条の支持部は、前記第１の方向にみて前記機器の略中央に設けられたことを特徴とする請求項１〜３のいずれか１つに記載のトイレ用カウンター。
【請求項５】
前記１条の支持部は、前記第１の方向にみて前記機器の端部に設けられてたことを特徴とする請求項１〜３のいずれか１つに記載のトイレ用カウンター。
【請求項６】
前記機器の背後において前記棚板に固定されたＬ型アングルをさらに備え、
前記機器は、前記Ｌ型アングルに固定されてなることを特徴とする請求項１〜５のいずれか１つに記載のトイレ用カウンター。
【請求項７】
第１の方向に延在した棚板と、
前記第１の方向に対して略直交する第２の方向に沿った２条の支持部において前記棚板に蝶支される機器と、
を備えたことを特徴とするトイレ用カウンター。
【請求項８】
第１の方向に延在した棚板と、
前記棚板の下に設けられた一対のブラケットと、
前記一対のブラケットの下面に固体された機器と、
を備えたことを特徴とするトイレ用カウンター。
【請求項９】
前記機器は、リモコンであることを特徴とする請求項１〜８のいずれか１つに記載のトイレ用カウンター。
【発明の詳細な説明】
【技術分野】
【０００１】
本発明は、トイレ用カウンターに関し、具体的には、トイレ室に設置され、棚板と、その下に取り付けられたリモコンなどの機器と、を有するトイレ用カウンターに関する。
【背景技術】
【０００２】
人間の生活にとって、トイレは切り離すことができない存在であり、日常生活において大きな位置づけを占めている。便器の形式が、いわゆる「和式」から「西洋式」に移り変わり、「水洗式」が導入され、「暖房式便座」や「温水洗浄便座装置」などの革新的な機構が付加されるに伴って、利便性や快適性が向上してきた。
【０００３】
今後、トイレは、ただ単に用を足すためだけの空間ではなく、快適で心地よく、生活に潤いを与え、癒しの効果も得られる空間となるべきである。例えば、トイレにカウンターを設置すると、読みかけの本などを置いたり、あるいは鏡なども設置してドレッサーとして用いることも可能となる。また同時に、便蓋や便座の開閉動作や、温水洗浄便座装置の操作などを実行するためのリモコンなどをカウンターに組み込むと、見栄えがすっきりとし、デザイン的な統一感も得られやすく、同時に操作もしやすくなる。  
トイレ室の壁面に設けられ、物品を載置可能な棚部の下方にリモコン部の操作面を配置したリモコン一体棚が開示されている（特許文献１）。
【特許文献１】特開２００１−５５７７４号公報
【発明の開示】
【発明が解決しようとする課題】
【０００４】
例えばリモコンを棚部の下に設置する場合、リモコンの機能があまり複雑でなく、棚の強度も十分である場合には、荷重による棚の「たわみ」が問題になることはない。しかし、トイレ空間の快適性や居心地の良さなどをさらに向上させるためには、デザイン性も極めて重要となる。このために、棚をできるだけシンプルに薄く形成し、見栄えをすっきりとさせることが有効である。しかし、棚を薄くすると、荷重に対するたわみが増える。
【０００５】
一方で、トイレを快適空間とするために、トイレ内の機器も多用化し、これにあわせてリモコンなどの機器も高機能化することが望ましい。このように高機能化されたリモコンなどの機器を、荷重に起因するひずみを与えることなくシンプルで薄い棚に取り付けるためには、技術的なブレイクスルーが必要とされる。
【０００６】
本発明は、かかる課題の認識に基づいてなされたものであり、リモコンなどの機器を、荷重に起因するひずみを与えることなく棚に取り付けたトイレ用カウンターを提供する。
【課題を解決するための手段】
【０００７】
本発明の一態様によれば、第１の方向に延在した棚板と、前記第１の方向に対して略直交する第２の方向に沿った１条の支持部において前記棚板に固定される機器と、を備えたことを特徴とするトイレ用カウンターが提供される。
【０００８】
また、本発明の他の一態様によれば、第１の方向に延在した棚板と、前記第１の方向に対して略直交する第２の方向に沿った２条の支持部において前記棚板に蝶支される機器と、を備えたことを特徴とするトイレ用カウンターが提供される。
【０００９】
また、本発明の他の一態様によれば、第１の方向に延在した棚板と、前記棚板の下に設けられた一対のブラケットと、前記一対のブラケットの下面に固体された機器と、を備えたことを特徴とするトイレ用カウンターが提供される。
【発明の効果】
【００１０】
本発明によれば、リモコンなどの機器を、荷重に起因するひずみを与えることなく棚に取り付けたトイレ用カウンターが提供される。
【発明を実施するための最良の形態】
【００１１】
以下、図面を参照しつつ、本発明の実施の形態について説明をする。なお、各図面中、同様の構成要素には同一の符号を付す。
【００１２】
図１は、本発明の実施の形態に係るトイレ用カウンターの模式組立図である。  
また、図２は、本実施形態のトイレ用カウンターが設置されたトイレ室を例示する模式斜視図である。
【００１３】
本実施形態のカウンターは、第１の方向Ｘに延在した棚板１００と、その下に取り付けられたリモコン２００と、を有する。棚板１００は、例えば、樹脂や合板などにより形成することができる。また、金属などの補強板を設けてもよい。リモコン２００は、例えば、トイレ室に設けられた便器８００の便蓋や便座を電動により開閉したり、また温水洗浄便座装置を操作するために用いることができる。またさらに、リモコン２００は、図示しない照明装置、音楽や効果音などを発生する音響装置、テレビやラジオ、暖房などの空調装置などを操作するために用いることも可能である。
【００１４】
リモコン２００の下には、トイレットペーパー５９０を保持するペーパーホルダ５００が設けられている。また、棚板１００の下には、キャビネット６００を設置してもよい。また、棚板１００には、水栓１７０を付設した手洗いボウル１６０を設けてもよい。また、トイレ室の壁面９００に鏡９１０を設けて、ドレッサーとしての機能を付与してもよい。
【００１５】
棚板１００は、天板１１０と、その前縁に設けられた幕板１２０と、を有する。リモコン２００は、天板１１０の下に設けられ、幕板１２０に設けられた開口（あるいは切り欠き）を介してその操作面が露出している。幕板１２０は天板１１０と必ずしも一体的に形成する必要はなく、天板１１０とは別体の要素として構成し接着剤などで接合してもよい。
【００１６】
本実施例においては、棚板１００は、ブラケット１９０によってトイレ室の壁面９００に固定されている。ただし、本発明はこれには限定されず、ブラケット１９０の代わりに、キャビネット６００によって天板１１０を支持してもよい。またさらに、ブラケット１９０による支持とキャビネット６００による支持を併用してもよい。
【００１７】
図３は、リモコン２００の取付部の一部拡大正面図である。  
また、図４は、リモコン２００の取付部の模式断面図である。
【００１８】
本実施例においては、リモコン２００は、筐体３００に収容可能とされている。そして、筐体３００は、第１の方向Ｘとは略直交する第２の方向Ｙに沿った１条の固定部において棚板１００に固定されている。すなわち、筐体３００は、その上面の左右両端に一対の凸部３２４を有し、また中央付近に一対のガイド３３０を有する。一方、棚板１００の裏面には、レール３４０がネジ３４２により固定される。棚板１００の裏面にレール３４０を取り付け、正面側からガイド３３０を嵌合させて筐体３００を挿入することにより、筐体３００を棚板１００に取り付けることができる。その後、リモコン２００を筐体３００に挿入し固定する。あるいは、リモコン２００を筐体３００に収容した状態でガイド３３０をレール３４０に嵌合挿入して、棚板１００に取り付けてもよい。筐体３００は、金属や樹脂などにより形成することができる。
【００１９】
一方、ペーパーホルダ５００は、その取付用孔５１２に取付用ボス５１０の先端を挿入し、さらに筐体３００に設けられた取付用孔（図示せず）に取付用ボス５１０の先端を挿入して取付用ボス５１０を回転させ締め付けることによって、筐体３００に固定することができる。なお、棚板１００の天板１１０は、化粧板として表層を形成する上板１１２と、補強のための下板１１４と、を積層させた構造としてもよい。
【００２０】
そして、棚板１００に筐体３００を取り付けた状態において、筐体３００の上面に突出した一対の凸部３２４は、図３に表したように棚板１００の裏面にほぼ当接し、筐体３００の「がたつき」を防止する。  
図５は、棚板１００に荷重がかかった状態を表す模式図である。  
例えば、使用者が棚板１００に手をついて体重をかけたような場合、棚板１００は下方に撓む。棚板１００は第１の方向Ｘに延在しているので、棚板１００のたわみは主に第１の方向Ｘにおいて生ずる。一方、筐体３００は、第１の方向Ｘと略直交する第２の方向Ｙに沿った１条の固定部（ガイド３３０及びレール３４０）において固定されている。従って、筐体３００は、レール３４０によって支持されつつ、棚板１００のたわみに応じて下方に移動する。そして、筐体３００の両端に設けられた凸部３２４が棚板１００の裏面から離間し、筐体３００を歪ませるような応力は作用しない。つまり、棚板１００に荷重がかかってたわんでも、筐体３００に対して応力がかかることなはく、リモコン２００は外力から保護される。
【００２１】
図６〜図８は、比較例のカウンターを表す模式図である。  
すなわち、図６（ａ）及び図７（ａ）は、比較例のカウンターのリモコンの取付部を表す斜視図である。また、図６（ｂ）及び図７（ｂ）は、これら比較例の組立図である。  
また、図８は、これら比較例において、棚板１００に荷重がかかった状態を表す模式図である。
【００２２】
図６に表した比較例の場合、筐体３００の下面の４隅には貫通孔３９８が設けられ、上面の４隅にはネジ止め孔３９７が設けられている。そして、貫通孔３９８を介してネジ３４２をネジ止め孔３９７に挿入し、棚板１００の裏面に締め付けることより、筐体３００を棚板１００に固定する。その後、図示しないリモコン２００を筐体３００に挿入する。
【００２３】
一方、図７に表した比較例の場合、筐体３００の上に取付板３９０が設けられている。取付板３９０は、その４隅にネジ止め孔３９２が設けられている。また、取付板３９０の下面の４隅には、取付ガイド３９４が設けられている。そして、これら取付ガイド３９４に対応して、筐体３００の上面の４隅には取付ガイド３９６が設けられている。
【００２４】
取付板３９０のネジ止め孔３９２にネジを挿入し棚板１００の裏面に締め付けることにより、取付板３９０を棚板１００に固定することができる。その後、取付板３９０の取付ガイド３９４に筐体３００の取付ガイド３９６を嵌合させ、ネジ３４２を取付板３９０に締め付けることにより、筐体３００を棚板１００に固定することかできる。その後、図示しないリモコン２００を筐体３００に挿入する。
【００２５】
しかし、これらいずれの比較例の場合も、筐体３００の両端が棚板１００に対して固定されてしまう。その結果として、図８に矢印Ａで表したように棚板１００に荷重がかかってたわんだ時に、筐体３００も歪んでしまう。
【００２６】
トイレ室を快適で居心地のよい空間にするために、カウンターのデザインは重要である。見栄えをすっきりとさせ、視覚的な快適感を得るためには、カウンターをスリムに形成することが効果的である。このためには、幕板１２０（図２参照）の高さ（上下方向の長さ）もコンパクトにすることが望ましく、幕板１２０を取り付けることによる天板１１０の補強効果はあまり期待できない。
【００２７】
また、リモコン２００を設置する場合、その操作面が棚板１００の上面から離れた下方に設けられると、見た目に重い印象を与えるとともに、手が届きにくくなるため操作もしにくくなる。一方で、カウンターの使い勝手を考えると、棚板１００を高くすることもできない。つまり、便器の前に立った状態でリモコン２００を操作する場合も、便座に座った状態でリモコン２００を操作する場合も、その操作面は、カウンターの棚板１００の上面にできるだけ接近させて設けることが望ましい。
【００２８】
しかし、カウンターをスリムに形成し、リモコン２００の操作面を棚板１００の上面にできるだけ近づけるためには、棚板１００の厚みを薄くする必要がある。その結果として、棚板１００に荷重がかかった場合のたわみ量は、大きくなる。
【００２９】
一方、筐体３００の中には、リモコン２００などの機器が収容される。これらの機器は、例えば、ＬＣＤ（Liquid Crystal Display：液晶表示装置）やＬＥＤ（Light Emitting Diode：発光ダイオード）あるいはＥＬ（ElectroLuminescence）表示装置などの表示素子や、各種のスイッチ類、電子素子、電気基板など、外力に敏感な素子などが搭載されることが多い。またさらに、操作面を前方にスライドさせたり回転させたりするための可動部を有する場合もある。これらの傾向は、カウンターに設けられるリモコン２００などの機器が高機能化するにつれてさらに顕著となる。  
従って、このような機器に対する外力の負荷を極力抑制する必要がある。この点で、図６〜図８に表した比較例のカウンターは、改善の余地があった。
【００３０】
これに対して、本実施形態においては、棚板１００に荷重がかかってたわんだような場合でも、図５に表したように、筐体３００はレール３４０により吊り下げられた状態のまま下方に移動し、一対の凸部３２４が棚板１００の裏面から離間して棚板１００のたわみを吸収する。筐体３００が歪むことはなく、その中に収納されたリモコン２００に応力がかかることもない。その結果として、カウンターをスリムに形成しつつ、高機能化されて各種の電子素子や可動部を有するリモコン２００などの機器を外力から保護することができる。
【００３１】
なお、図１〜図５においては、筐体３００を棚板１００に固定し、その中にリモコン２００を収容する具体例を表したが、本発明はこれには限定されない。すなわち、筐体３００の代わりに、リモコン２００を棚板１００の裏面に同様の方法で取り付けてもよい。この場合でも、図１〜図８に関して前述したものと同様の効果が得られる。
【００３２】
図９は、本実施形態のトイレ用カウンターの第２の実施例を表す模式図である。  
本実施例においても、棚板１００は第１の方向Ｘに沿って延在し、筐体３００は、第１の方向Ｘと略直交する第２の方向Ｙに沿った１条の固定部において棚板１００に固定されている。ただし、本実施例においては、筐体３００の一部が突出した凸部３２４（図１参照）の代わりに、上面の両端に緩衝体３２６が設けられている。緩衝体３２６としては、例えばクッションゴムなどの弾性を有するものを用いることができる。このように弾性を有する緩衝体３２６を設けることにより、棚板１００の取付誤差や、棚板１００のたわみなどを吸収させて筐体３００をより安定的に棚板１００の裏面に保持することができる。
【００３３】
図１０は、本実施形態のトイレ用カウンターの第３の実施例を表す模式図である。  
本実施例においても、棚板１００は第１の方向Ｘに沿って延在し、筐体３００は、第１の方向Ｘと略直交する第２の方向Ｙに沿った１条の固定部において棚板１００に固定されている。また、本実施例においても、筐体３００の上面に、その一部が突出した凸部３２４（図１参照）は設けられていない。その代わりに、筐体３００の背後にＬ型アングル３５０が設けられている。Ｌ型アングル３５０は、ネジ３５２によって棚板１００の裏面に固定される。一方、筐体３００の背面から下方に延出した板部に取付孔３１０が設けられている。この取付孔３１０にネジ３１２を挿入し、Ｌ型アングル３５０に締め付けることにより、筐体３００のがたつきや前後方向のズレを防止することができる。
【００３４】
また、Ｌ型アングル３５０を棚板１００の裏面に固定することにより、棚板１００を補強する効果も得られる。すなわち、図５に例示したように棚板１００に荷重がかかった場合でも、Ｌ型アングル３５０がその荷重に対向して棚板１００のたわみを抑制する効果がえられる。  
またさらに、筐体３００の取付孔３１０を縦方向に長い長円形にすると、取付位置の微調整が可能となり、取付誤差などによる筐体３００の左右の傾斜を補正することができる。
【００３５】
図１１は、本実施形態のトイレ用カウンターの第４の実施例を表す模式図である。  
本実施例においても、棚板１００は第１の方向Ｘに沿って延在している。そして、本実施例においては、ガイド３３０やレール３４０（図１参照）を用いず、筐体３００の下面に設けられた挿入孔３１４からネジ３４２を挿入し、取付孔３１６を介して棚板１００の裏面に締め付けることにより固定する。つまり、筐体３００の上面が棚板１００の裏面にほぼ接した状態となる。このようにしても、図５に関して前述したものと同様に、棚板１００に荷重がかかった時には、筐体３００に対してネジ３４２により吊り下げられた状態のまま、上面の両側が棚板１００から離間した状態となり、筐体３００が歪むことはない。また、本実施例によれば、リモコン２００の操作面を棚板１００の上面に最も近づけることができ、デザイン的にも操作性の点でも優れたカウンターを提供できる。
【００３６】
図１２は、本実施形態のトイレ用カウンターの第５の実施例を表す模式図である。すなわち、図１２（ａ）は、本実施例のカウンターのリモコンの取付部を表す斜視図であり、図１２（ｂ）は、筐体３００の斜視図である。  
また、図１３は、本実施例のカウンターの棚板に荷重がかかった状態を表す模式図である。
【００３７】
本実施例においても、棚板１００は第１の方向Ｘに沿って延在し、筐体３００は、第１の方向Ｘと略直交する第２の方向Ｙに沿った１条の固定部（ガイド３３０、レール３４０）において棚板１００に固定されている。ただし、本実施例においては、ガイド３３０が筐体３００の上面の中央付近ではなく、端部に設けられている。このように、筐体３００をその端部で固定しても、棚板１００に荷重がかかってたわんだ場合には、レール３４０により吊り下げられた状態で筐体３００の上面は棚板１００の裏面から適宜離間する。その結果として、筐体３００に応力がかかり歪むことはない。
【００３８】
図１４は、本実施形態のトイレ用カウンターの第６の実施例を表す模式図である。すなわち、図１４（ａ）は、本実施例のカウンターのリモコンの取付部を表す斜視図であり、図１４（ｂ）は、筐体３００の斜視図である。
【００３９】
本実施例においては、筐体３００の上面に３対のガイド３３０が設けられている。すなわち、筐体３００の上面の中央付近と、左右それぞれに、ガイド３３０の対が設けられている。棚板１００への取付にあたっては、これら３対のガイド３３０のうちのいずれかの対が用いられる。すなわち、一本のレール３４０（図１参照）を棚板１００に固定し、３対のガイド３３０のうちのいずれかの対をこのレール３４０に嵌合させる。このようにすれば、施工現場に応じて、筐体３００の取付位置を調整できる。つまり、３対のガイド３３０のうちのいずれの対を利用するかによって、筐体３００の取付位置を３つの位置の中から選択することができる。こうすると、たとえば、レール３４０を予め棚板１００に取り付けた状態で工場から出荷されるような場合でも、カウンターの施工現場で筐体３００の取付位置を調節することが可能となる。
【００４０】
図１５は、本実施形態のトイレ用カウンターの第７の実施例を表す模式図である。すなわち、図１５（ａ）は、本実施例のカウンターのリモコンの取付部を表す斜視図であり、図１５（ｂ）は、筐体３００の組立図である。
【００４１】
本実施例においては、筐体３００は、蝶番を有する取付具３６０によって棚板１００に取り付けられる。すなわち、取付具３６０は、蝶番３６２と３６４によりそれぞれ蝶支された３枚の板体を有する。この取付具３６０は、取付孔３６５を介して棚板１００の裏面にネジ止めされる。また、筐体３００の上面は、取付孔３６６にネジ止めされる。このようにして筐体３００が棚板１００に取り付けられると、筐体３００は蝶番３６２及び３６４により蝶支された状態となる。従って、棚板１００に荷重がかかってたわんだ場合でも、蝶番３６２、３６４がこの変形を適宜吸収し、筐体３００に応力がかかって歪むことはない。
【００４２】
図１６は、本実施形態のトイレ用カウンターの第８の実施例を表す模式図である。すなわち、図１６（ａ）は、本実施例のカウンターのリモコンの取付部を表す斜視図であり、図１６（ｂ）は、筐体３００の組立図である。  
また、図１７は、本実施例の カウンターのリモコンの取付部の断面図である。
【００４３】
本実施例においては、筐体３００の上面が延出した延在部３７０が設けられ、この延在部３７０に取付孔３７２が設けられている。そして、筐体３００は、この取付孔３７２にネジ３４２を挿入してブラケット１９０に締め付けることにより固定される。ブラケット１９０は、図１に関して前述したように、棚板１００を壁面９００に取り付けるために設けられたものでもよく、または、筐体３００を取り付けるためにさらに追加して設けたものでもよい。
【００４４】
本実施例においては、図１７に表したように、筐体３００の上面と棚板１００の裏面との間には、ブラケット１９０の板厚に相当する隙間Ｓが形成される。棚板１００に荷重がかかってたわんでも、この隙間Ｓが棚板１００のたわみ量よりも大きければ、筐体３００に応力がかかって歪むことはない。なお、ブラケット１９０と延在部３７０との間にスペーサを介在させて、隙間Ｓを拡げることもできる。このようにすれば、棚板１００のたわみ量がブラケット１９０の板厚よりも大きい場合でも、筐体３００に応力がかかることを防止できる。
【００４５】
またさらに、ブラケット１９０を筐体３００のために追加した場合には、図１８に表したように、棚板１００から離間させてブラケット１９０を壁面９００（図１参照）に固定することも可能となる。その結果として、隙間Ｓをさらに大きくすることができ、棚板１００がたわんでも筐体３００に応力がかかることを防止できる。
【００４６】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。例えば、筐体３００の中に収容される機器はリモコン２００には限定されず、その他、外力の負荷を抑制すべきあらゆる機器が包含される。また、筐体３００を設けず、その内部に収容されるリモコン２００などの機器を各実施例において筐体３００と同様の方法で取り付けたものも本発明の範囲に包含される。
【００４７】
また、棚板や筐体、リモコン、ブラケット、ガイド、レール、取付具などの各要素の形状、寸法、材質、配置などは、例示したものに限定されるわけではなく適宜変更することができる。  
また、前述した各実施例が備える各要素は、可能な限りにおいて組み合わせることができ、これらを組み合わせたものも本発明の特徴を含む限り本発明の範囲に包含される。
【図面の簡単な説明】
【００４８】
【図１】本発明の実施の形態に係るトイレ用カウンターの模式組立図である。
【図２】本実施形態のトイレ用カウンターが設置されたトイレ室を例示する模式斜視図である。
【図３】リモコン２００の取付部の一部拡大正面図である。
【図４】リモコン２００の取付部の模式断面図である。
【図５】棚板１００に荷重がかかった状態を表す模式図である。
【図６】比較例のカウンターを表す模式図である。
【図７】比較例のカウンターを表す模式図である。
【図８】比較例のカウンターを表す模式図である。
【図９】本実施形態のトイレ用カウンターの第２の実施例を表す模式図である。
【図１０】本実施形態のトイレ用カウンターの第３の実施例を表す模式図である。
【図１１】本実施形態のトイレ用カウンターの第４の実施例を表す模式図である。
【図１２】本実施形態のトイレ用カウンターの第５の実施例を表す模式図である。
【図１３】本実施例のカウンターの棚板に荷重がかかった状態を表す模式図である。
【図１４】本実施形態のトイレ用カウンターの第６の実施例を表す模式図である。
【図１５】本実施形態のトイレ用カウンターの第７の実施例を表す模式図である。
【図１６】本実施形態のトイレ用カウンターの第８の実施例を表す模式図である。
【図１７】第８実施例のカウンターのリモコンの取付部の断面図である。
【図１８】棚板１００から離間させてブラケットを壁面に固定した実施例を表す模式図である。
【符号の説明】
【００４９】
１００ 棚板、１１０ 天板、１１２ 上板、１１４ 下板、１２０ 幕板、１６０ ボウル、１７０ 水栓、１９０ ブラケット、２００ リモコン、３００ 筐体、３１０ 取付孔、３１２ ネジ、３１４ 挿入孔、３１６ 取付孔、３２４ 凸部、３２６ 緩衝体、３３０ ガイド、３４０ レール、３４２ ネジ、３５０ Ｌ型アングル、３５２ ネジ、３６０ 取付具、３６２，３６４ 蝶番、３６５、３６６ 取付孔、３７０ 延在部、３７２ 取付孔、３９０ 取付板、３９２ 孔、３９４、３９６ 取付ガイド、３９７ 孔、３９８ 貫通孔、５００ ペーパーホルダ、５１０ 取付用ボス、５１２ 取付用孔、５９０ トイレットペーパー、６００ キャビネット、８００ 便器、９００ 壁面、９１０ 鏡
【図１】
2008245807.tif 000003
【図２】
2008245807.tif 000004
【図３】
2008245807.tif 000005
【図４】
2008245807.tif 000006
【図５】
2008245807.tif 000007
【図６】
2008245807.tif 000008
【図７】
2008245807.tif 000009
【図８】
2008245807.tif 000010
【図９】
2008245807.tif 000011
【図１０】
2008245807.tif 000012
【図１１】
2008245807.tif 000013
【図１２】
2008245807.tif 000014
【図１３】
2008245807.tif 000015
【図１４】
2008245807.tif 000016
【図１５】
2008245807.tif 000017
【図１６】
2008245807.tif 000018
【図１７】
2008245807.tif 000019
【図１８】
2008245807.tif 000020